Podtech/llm-jp-corpus-v4-ja_patent huggingface dataset:
【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】 
【請求項１】(a)図１（配列番号１）のアミノ酸残基２７から８３９を有するＰＲＯ２８５ポリペプチドをコードするDNA分子に；または(b)図４（配列番号3）のアミノ酸残基２７から８２５を有するＰＲＯ２８６ポリペプチドをコードするDNA分子に；または(c)図１８−１９（配列番号１３）のアミノ酸残基２０から５７５を有するＰＲＯ３５８ポリペプチドをコードするDNA分子に、または(d) (a)(b)または(c)のDNA分子の相補体に少なくとも９５％の配列同一性を有するポリヌクレオチド配列を含む単離された核酸。
【請求項２】(a)図１（配列番号１）のアミノ酸残基１から８３９を有するＰＲＯ２８５ポリペプチドをコードするDNA分子に；または(b)図４（配列番号3）のアミノ酸残基１から８２５を有するＰＲＯ２８６ポリペプチドをコードするDNA分子に；または(c)(a)または(b)のDNA分子の相補体に、少なくとも９５％の配列同一性を有するポリヌクレオチド配列を含む、請求項１記載の単離された核酸。
【請求項３】(a)図１８と１９（配列番号１３）のアミノ酸残基２０から５７５を有するＰＲＯ３５８ポリペプチドをコードするDNA分子に、または(b) (a)のDNA分子の相補体に少なくとも９５％の配列同一性を有するDNAを含む請求項１記載の単離された核酸。
【請求項４】図１８と１９（配列番号１３）のアミノ酸残基２０から８１１を有するＰＲＯ３５８ポリペプチドをコードするDNA分子に、または(b) (a)のDNA分子の相補体に少なくとも９５％の配列同一性を有するDNAを含む請求項１記載の単離された核酸。
【請求項５】図１（配列番号１）のアミノ酸残基１から８３９を有するＰＲＯ２８５ポリペプチドをコードするDNAを含む、請求項１記載の単離された核酸。
【請求項６】図１（配列番号１）のアミノ酸残基１から１０４９を有するＰＲＯ２８５ポリペプチドをコードするDNAを含む、請求項１記載の単離された核酸。
【請求項７】図１（配列番号１）のアミノ酸残基１から８３９と、８６５から１０４９を有するＰＲＯ２８５ポリペプチドをコードするDNAを含む、請求項１記載の単離された核酸。
【請求項８】上記DNAが図２と図３（配列番号２の配列）のヌクレオチド位置８５から始まるヌクレオチド配列、またはその相補体を含む、請求項１記載の核酸。
【請求項９】図４（配列番号３）のアミノ酸残基１から１０４１を有するＰＲＯ２８６ポリペプチドをコードするDNAを含む、請求項１記載の単離された核酸。
【請求項１０】図４（配列番号３）のアミノ酸残基１から８２５と８４９から１０４１を有するＰＲＯ２８６ポリペプチドをコードするDNAを含む、請求項１記載の単離された核酸。
【請求項１１】上記DNAが図５から７（配列番号４）のヌクレオチド位置５７から開始するヌクレオチド配列、またはその相補体を含む、請求項１記載の単離された核酸。
【請求項１２】図１８と１９（配列番号１３）のアミノ酸残基２０から５７５を有するＰＲＯ３５８ポリペプチドをコードするDNAまたはその相補体を含む、請求項１記載の単離された核酸。
【請求項１３】図１８と１９（配列番号１３）のアミノ酸残基２０から８１１を有するＰＲＯ３５８ポリペプチドをコードするDNAまたはその相補体を含む、請求項１記載の単離された核酸。
【請求項１４】図１８と１９（配列番号１３）のアミノ酸残基１から８１１を有するＰＲＯ３５８ポリペプチドをコードするDNAまたはその相補体を含む、請求項１記載の単離された核酸。
【請求項１５】(a)ATCC寄託番号No.209389(DNA40021-1154)中のヒトトール蛋白質cDNAによりコードされた同じ成熟ポリペプチドをコードするDNA分子に、または(b) (a)のDNA分子の相補体に少なくとも９５％の配列同一性を有するDNAを含む単離された核酸。
【請求項１６】(a)ATCC寄託番号No.209386(DNA42663-1154)中のヒトトール蛋白質cDNAによりコードされた同じ成熟ポリペプチドをコードするDNA分子に、少なくとも９５％の配列同一性を有するDNAを含む単離された核酸。
【請求項１７】(a)ATCC寄託番号No.209431(DNA47361-1249)中のヒトトール蛋白質cDNAによりコードされた同じ成熟ポリペプチドをコードするDNA分子に、または(b) (a)のDNA分子の相補体に少なくとも９５％の配列同一性を有するDNAを含む単離された核酸。
【請求項１８】請求項１記載の核酸を含むベクター。
【請求項１９】ベクターで形質転換された宿主細胞により認識される制御配列に、操作可能に結合された請求項１８記載のベクター。
【請求項２０】請求項１８記載のベクターを含む宿主細胞。
【請求項２１】上記細胞がＣＨＯ細胞である請求項２０記載の宿主細胞。
【請求項２２】上記細胞が大腸菌である請求項２０記載の宿主細胞。
【請求項２３】上記細胞が酵母細胞である請求項２０記載の宿主細胞。
【請求項２４】 請求項２０記載の宿主細胞を請求項１記載のポリペプチド発現に適した条件下で培養し、上記ポリペプチドを回収することを含むトールペプチドの製造方法。
【請求項２５】ヘテロなアミノ酸配列に融合している、ＰＲＯ２８５またはＰＲＯ２８６またはＰＲＯ３５８ポリペプチドまたはそのトランスメンブレン−ドメイン欠失または不活性化変異体を含むキメラ分子。
【請求項２６】 上記ヘテロなアミノ酸配列がエピトープタグ配列である請求項２５記載のキメラ分子。
【請求項２７】 上記ヘテロなアミノ酸配列が免疫グロブリンのＦｃ領域である請求項２６記載のキメラ分子。
【請求項２８】DNA40021またはDNA42663またはDNA47361によりコードされるポリペプチドに特異的に結合する抗体。
【請求項２９】上記抗体がモノクローナル抗体である請求項２８記載の抗体。
【請求項３０】 上記ポリペプチドによりグラム陰性またはグラム陽性生物の認識を阻害することが可能な請求項２９記載の抗体。
【請求項３１】ヒトTLR2(hTLR2)受容体に特異的に結合する抗体。
【請求項３２】グラム陰性細菌のリポ多糖（LPS）によりhTLR2の活性化を阻害することが可能な請求項３１の抗体。
【請求項３３】上記細菌が大腸菌である請求項３２の抗体。
【請求項３４】天然のhTLR2のC末端に欠失を有するヒトTLR2（hTLR2）変異体。
【請求項３５】天然のhTLR2のC末端に１３アミノ酸欠失を有する請求項３４の変異体。 
【請求項３６】 天然のhTLR2のC末端に１４１アミノ酸欠失を有する請求項３４の変異体。 
【請求項３７】 請求項２８または請求項３１の抗体の有効量を患者に投与すること含む敗血症性ショックの治療方法。
【請求項３８】請求項２８または請求項３１の抗体の有効量を、製薬学的に許容される担体との混合物内に含む組成物。
【請求項３９】 ＰＲＯ２８５またはＰＲＯ２８６またはＰＲＯ３５８ポリペプチドのアゴニスト。
【請求項４０】 ＰＲＯ２８５またはＰＲＯ２８６またはＰＲＯ３５８ポリペプチドのアンタゴニスト。
【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】  その面積のために、補助器具を必要とせずに人間の目に見える、その表面の所定の区域にエンボスが永久的に設けられたデータキャリヤであって、該エンボスの少なくとも一部が傾斜平面の形態にあり、エンボスの高さまたは深さが、所定の方向において、前記データキャリヤの表面の残りの部分に対して、最大値から始まり、直線にしたがって連続的に減少していることを特徴とするデータキャリヤ。
【請求項２】  その面積のために、補助器具を必要とせずに人間の目に見える、その表面の所定の区域にエンボスが永久的に設けられたデータキャリヤであって、該エンボスの少なくとも一部が、10°未満の傾斜角および1.5ｍｍよりも大きい平面における最大隆起方向の横寸法を有する傾斜平面の形態にあることを特徴とするデータキャリヤ。
【請求項３】  前記エンボスがいくつかの傾斜平面を示すことを特徴とする請求項１または２記載のデータキャリヤ。
【請求項４】  前記傾斜平面が、直接互いに隣接し、互いに対して対照的に整列されていることを特徴とする請求項３記載のデータキャリヤ。
【請求項５】  前記傾斜平面が互いに隣り合って配列されていることを特徴とする請求項４記載のデータキャリヤ。
【請求項６】  前記エンボスが、少なくとも１つの輪郭および該輪郭により囲まれた実区域からなり、それによって、該輪郭と該実区域の両方が少なくとも１つの傾斜平面からなり、かつ該輪郭の少なくとも１つの傾斜平面および該実区域の１つの傾斜平面が互いに対照的に整列されていることを特徴とする請求項１から５いずれか１項記載のデータキャリヤ。
【請求項７】  前記傾斜平面が互いに重複して配列されていることを特徴とする請求項４記載のデータキャリヤ。
【請求項８】  前記エンボスがから押しエンボスであることを特徴とする請求項１から７いずれか１項記載のデータキャリヤ。
【請求項９】  前記エンボスが凹版印刷プロセスを用いて形成されることを特徴とする請求項１から８いずれか１項記載のデータキャリヤ。
【請求項１０】  前記傾斜平面が250μｍの最大エンボス高さを示すことを特徴とする請求項１から９いずれか１項記載のデータキャリヤ。
【請求項１１】  前記傾斜平面がさらなるエンボス構造により覆われていることを特徴とする請求項１から１０いずれか１項記載のデータキャリヤ。
【請求項１２】  前記エンボスが文字、数字、模様または図表の形態にあることを特徴とする請求項１から１１いずれか１項記載のデータキャリヤ。
【請求項１３】  前記データキャリヤの前記エンボスされた区域に、その視覚による光学的印象が視角に応じて変わる、少なくとも１つのコーティングまたは一連のコーティングが与えられることを特徴とする請求項１から１２いずれか１項記載のデータキャリヤ。
【請求項１４】  前記コーティングまたは一連のコーティングが、スクリーン印刷または転写プロセスを用いて施されることを特徴とする請求項１３記載のデータキャリヤ。
【請求項１５】  前記コーティングまたは一連のコーティングが、干渉コーティング、液晶コーティングまたは高反射性コーティングからなることを特徴とする請求項１３または１４記載のデータキャリヤ。
【請求項１６】  前記高反射性コーティングが金属コーティングであることを特徴とする請求項１５記載のデータキャリヤ。
【請求項１７】  前記コーティングまたは一連のコーティングが、印刷インクからなり、光学的変動性顔料を含有することを特徴とする請求項１３または１４記載のデータキャリヤ。
【請求項１８】  前記コーティングまたは一連のコーティングが、回折構造からなることを特徴とする請求項１３または１４記載のデータキャリヤ。
【請求項１９】  前記データキャリヤが、互いから間隔が置かれて位置するいくつかのエンボスを備えることを特徴とする請求項１または２記載のデータキャリヤ。
【請求項２０】  １つの傾斜平面が、いくつかのエンボスに亘り連続していることを特徴とする請求項１９記載のデータキャリヤ。
【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】  湿潤状態および乾燥状態に適した滑り制御物品であって、  １平方インチあたり１００〜１０，０００本の直立するステムの配列であって少なくとも部分的にそれと共に一体化されて成形されるステムの配列を有する第１面と、第２面とを有する裏材層を含み、
各直立するステムの少なくとも一部は、エラストマー材料から形成され、
該エラストマー材料は、約９０Ａ未満のショアー硬度を有し、
各ステムの最大断面寸法は、０．００３〜０．０３０インチであり、
各ステムのアスペクト比は、少なくとも１．２５であり、
各ステムは、高柔軟性を有しており、
柔軟なステムの配列によって形成される上記第１面は、乾燥時において、少なくとも０．６の静止摩擦係数を有し、湿潤時において、上記乾燥時における静止摩擦係数の約２０％以内の静止摩擦係数を有し、
上記第１面は、上記同一の特徴を有する別の滑り制御物品のステム配列と係合するとき、少なくとも１６，８０５ダイン／ｃｍ２の動的剪断強さを有し、
上記第１面は、上記同一の特徴を有する別の滑り制御物品のステム配列と係合するとき、実質的にゼロである引っ張り強さと剥離強さとを有する、滑り制御物品。
【請求項２】  更に、少なくとも上記第１面上に、微少流路を有する、請求項１に記載の物品。
【請求項３】  上記微少流路と流体連通する吸収材料を有する、請求項２に記載の物品。
【請求項４】  上記裏材層は、エラストマー材料、ポリビニル、ポリウレタン、ポリエステル、ポリアクリル、ポリカーボネート、およびポリオレフィンからなるグループより選択される化合物を含む、請求項１に記載の物品。
【請求項５】  上記エラストマー材料は、弾性ブロックコポリマー、スチレンイソプレンスチレン、スチレンブタジエンスチレン、スチレンエチレンブタジエンスチレン、又はこれらのブレンドを含む、請求項１に記載の物品。
【請求項６】  上記裏材層は、上記直立するステムの少なくとも２つの間に孔を有する、請求項１に記載の物品。
【請求項７】  上記直立するステムの少なくとも一部が、疎水性または親水性のいずれかの特性を有する、請求項１に記載の物品。
【請求項８】  上記ステムの配列は、皮膚との接触時に、柔らかで心地良い感触を与える、請求項１に記載の物品。
【請求項９】  湿潤状態および乾燥状態に適した滑り制御物品であって、 １平方インチあたり１００〜１０，０００本の直立するステムの配列であって少なくとも部分的にそれと共に一体化されて成形されるステムの配列を有する第１面と、第２面とを有する裏材層を含み、
各直立するステムの少なくとも一部は、エラストマー材料から形成され、
該エラストマー材料は、約９０Ａ未満のショアー硬度を有し、
各ステムの最大断面寸法は、０．００３〜０．０３０インチであり、
各ステムは、高柔軟性を有しており、
エラストマー材料からなるステムの配列は、皮膚との接触時に、柔らかで心地良い感触を与え、
柔軟なステムの配列によって形成される上記第１面は、乾燥時において、少なくとも０．６の静止摩擦係数を有し、
上記第１面は、上記同一の特徴を有する別の滑り制御物品のステム配列と係合するとき、そのピーク動的剪断強さの約８０％の平均動的剪断強さを有し、
柔軟なステムの上記配列によって形成される外面は、上記同一の特徴を有する別の滑り制御物品のステム配列と係合するとき、実質的にゼロである引っ張り強さと剥離強さとを有する、滑り制御物品。
【請求項１０】  上記外面は、上記同一の特徴を有する別の滑り制御物品のステム配列と係合するとき、そのピーク動的剪断強さの約８５％の平均動的剪断強さを有する、請求項９に記載の物品。
【請求項１１】  上記外面は、上記同一の特徴を有する別の滑り制御物品のステム配列と係合するとき、そのピーク動的剪断強さの約９０％の平均動的剪断強さを有する、請求項１０に記載の物品。
【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】
少なくとも２枚の重ねられたプラスチック材料製シート(1, 2)を溶接し、所定の経路(F)に沿って連続的に走行させる超音波溶接装置(100)であって、装置(100)は、互いに向かい合わせに配置されたソノトロード(101)と固定アンビル(102)とを備え、それらの向かい合った表面(101', 102')が貫通間隙(103)を形成し、この間隙の中を、溶接を受ける２枚の重ねられたシート(1, 2)が通過し、該間隙(103)は入口部(104)および出口部(105)を有し、ソノトロード(101)は高い振動数で振動して超音波を発生するものであり、
該装置は、前記ソノトロード(101)とアンビル(102)の向かい合う表面(101', 102')が、前記貫通間隙(103)の断面がその入口部(104)からその出口部(105)の間で連続的に減少するよう、互いに近づいて収束し、ソノトロード(101)に向かい合うアンビル(102)の表面(102')が、その間に鈍角を形成している２つの傾斜フラット部(102a, 102b)により形成された、とがった溶接輪郭を与えることを特徴とする超音波溶接装置。
【請求項２】
ソノトロード(101)とアンビル(102)との間に形成された貫通間隙(103)の入口部(104)が、該間隙(103)の出口部(105)より1.2〜２倍の範囲内の倍率で大きくなっていることを特徴とする請求項１記載の溶接装置。
【請求項３】
貫通間隙(103)の入口部(104)の幅が、溶接を受ける重ねられたシート(1, 2)の厚さよりわずかに大きいことを特徴とする、請求項１または２記載の溶接装置。
【請求項４】
所定の速度で走行している、溶接を受ける重ねられたシートに対し、ソノトロード(101)とアンビル(102)との間に形成された貫通間隙(103)が、振動しているソノトロード(101)およびアンビル(102)と前記シート(1, 2)との接触時間が、一定の溶接幅にわたってシートの漏れ止め溶接を得るように選択されるように、前記所定の速度の関数として決定される長さ(L)を与えることを特徴とする、請求項１〜３のいずれか１項に記載の溶接装置。
【請求項５】
約62.5メートル／分 (m/min)の一定速度について、貫通間隙の長さ(L)が、約72 ms の接触時間および１mmの溶接線に対して約75 mmに等しいことを特徴とする、請求項４記載の溶接装置。
【請求項６】
アンビル(102)のとがった輪郭の表面の２つの傾斜フラット部(102a, 102b)が約140°の角度を形成していることを特徴とする、請求項１〜５のいずれか１項に記載の溶接装置。
【請求項７】
アンビル(102)の傾斜フラット部(102a, 102b)のそれぞれが、ソノトロード(101)の向かい合う面に対して約20°の角度αを形成することを特徴とする、請求項６記載の溶接装置。
【請求項８】
溶接を受けるシート(1, 2)に対して0.2×105Pa〜6×105 Paの範囲内の所定の圧力を加えるように、アクチュエータ(107)またはカウンターウェイトが、ソノトロード(101)に併設されていることを特徴とする、請求項１〜７のいずれか１項に記載の溶接装置。
【請求項９】
ソノトロード(101)が約20〜40 kHzの範囲内の振動数および10〜100μｍの範囲内の振幅で振動することを特徴とする、請求項１〜８のいずれか１項に記載の溶接装置。
【請求項１０】
ソノトロード(101)が約70μｍに等しい振幅で振動することを特徴とする、請求項９に記載の溶接装置。
【請求項１１】
溶接を受けるシート走行速度が50〜150 m/minの範囲内であることを特徴とする、請求項１〜１０のいずれか１項に記載の溶接装置。
【請求項１２】
溶接を受けるシート走行速度が60〜80 m/minの範囲内であることを特徴とする、請求項１１に記載の溶接装置。
【請求項１３】
軟質パッケージ、とりわけ特に充填と封止が済んだ後で保存処置が施されるパッケージを封止する方法であって、各パッケージは、左右の側縁部で互いにつながっている２つの側面部を有し、各側面部はプラスチック材料製の内面および外面と、この内面と外面との間に挟まれた軽金属製の中心層とを有し、本方法は、請求項１〜12のいずれか１項に記載の溶接装置を用いて、各パッケージが所定の速度で走行する間に、各パッケージの２つの側面部の内面の超音波溶接を、少なくとも各パッケージの幅の半分以上に達する溶接線に沿って行うことを特徴とする、軟質パッケージの封止方法。
【請求項１４】
溶接線が各パッケージの全幅に達するように形成されることを特徴とする、請求項13記載の方法。
【請求項１５】
各パッケージにおいて溶接線を形成する際に、切断線も同時に形成されることを特徴とする、請求項13または14記載の方法。
【請求項１６】
各パッケージを超音波溶接により封止する前に、各パッケージの該側面部を、各パッケージの側面部の内面が軟化するように加熱することを特徴とする、請求項13〜15のいずれか１項に記載の方法。
【請求項１７】
前記走行中の各パッケージを、前記パッケージの走行経路上で第一の溶接装置より下流に配置された請求項１〜12のいずれか１項に記載の別の溶接装置を用いて、同じ１本の溶接線に沿って溶接するか、または第一の溶接線の下側に位置する別の溶接線に沿って溶接することを特徴とする、請求項13〜15のいずれか１項に記載の方法。
【請求項１８】
パッケージが20〜150 m/minの範囲内の一定の走行速度で次々に走行する、請求項13〜17のいずれか１項に記載の方法。
【請求項１９】
パッケージが60〜80 m/minの範囲内の一定の走行速度で次々に走行する、請求項18に記載の方法。
【請求項２０】
各パッケージの各側面部の中心層がアルミニウム製であることを特徴とする、請求項13〜19のいずれか１項に記載の方法。
【請求項２１】
各パッケージの各側面部の内面がポリプロピレンの層を有することを特徴とする、請求項13〜20のいずれか１項に記載の方法。
【請求項２２】
各パッケージの各側面部の内面がポリアミドの層とポリプロピレンの層とを有することを特徴とする、請求項13〜20のいずれか１項に記載の方法。
【請求項２３】
各パッケージの各側面部の外面がポリエチレンテレフタレートの層を含むことを特徴とする請求項13〜22のいずれか１項に記載の方法。
【請求項２４】
各パッケージの各側面部の外面がさらにポリアミド層を含むことを特徴とする、請求項23記載の方法。
【請求項２５】
軟質パッケージ、とりわけ、保存処置が特に充填と封止が済んだ後で施されるパッケージであって、該パッケージは、左右の側縁部で互いにつながっている２つの側面部を有し、各側面部はプラスチック材料製の内面および外面と、この内面と外面との間に挟まれた軽金属製の中心層とを有し、該パッケージは請求項13〜24のいずれか１項に記載の方法に従って封止されていることを特徴とする軟質パッケージ。
【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】
【請求項１】  クッション変換機（１５）であって、該クッション変換機は、シート状ストック材料を、ストック材料の重なり部分を有するクッションの三次元ストリップに変換する、変換アセンブリ（３１、３２）を備え；
該変換アセンブリ（３１、３２）は、ステッチングアセンブリ（３２）を有し、該ステッチングアセンブリは、第一ステッチング部材（４０）および第二ステッチング部材（４１）を含み、該ステッチング部材の各々は、該ステッチング部材（４０、４１）の回転中に噛み合って係合する、半径方向外向きに延びる複数の突出部（２２０、２３４）を有し；
該第一ステッチング部材（４０）は、少なくとも１つの凹部（２２６）を有し、そして該第二ステッチング部材（４１）は、該ステッチング部材（４０、４１）の回転中に該凹部（２２６）に受容される切断エッジ（２３７）を有して、該ストック材料の該重なり部分に１列のスリット（３９３）を切り込み、該ストック材料の該重なり部分をインターロックするための少なくとも１列のタブを形成し；
ここで、該切断エッジ（２３７）が、隣接する突出部（２３４）の半径方向外側の末端から半径方向内向きにずれており、該第二ステッチング部材（４１）の隣接する突出部（２３４）の間に半径方向に配置され、そして円周方向間隔が、隣接する突出部（２３４）の間の円周方向空間より小さい、クッション変換機。
【請求項２】  ストック材料の重なり端縁を一緒にステッチングしてクッションの三次元ストリップを製造するための、ステッチングアセンブリ（３２）であって、該ステッチングアセンブリは、第一ステッチング部材（４０）および第二ステッチング部材（４１）を備え、該ステッチング部材の各々が、該ステッチング部材（４０、４１）の回転中に噛み合って係合する、半径方向外向きに延びる複数の突出部（２２０、２３４）を有し；
該第一ステッチング部材（４０）は、少なくとも１つの凹部（２２６）を有し、そして該第二ステッチング部材（４１）は、該ステッチング部材（４０、４１）の回転中に該凹部（２２６）に受容される切断エッジ（２３７）を有して、該ストック材料の該重なり部分に１列のスリット（３９３）を切り込み、該ストック材料の該重なり部分をインターロックするための少なくとも１列のタブを形成し；
ここで、該切断エッジ（２３７）が、半径方向に配置された隣接する突出部（２３４）の半径方向外側の末端から半径方向内向きにずれており、
ここで、該切断エッジ（２３７）が、該第二ステッチング部材（４１）に隣接する突出部（２３４）の間に半径方向に配置され、そして円周方向の間隔が、隣接する突出部（２３４）の間の円周方向の間隔より小さい、ステッチングアセンブリ。
【請求項３】  前記切断エッジ（２３７）が、前記隣接する突出部（２３４）に対して半径方向中心に配置される、請求項１または２に記載のクッション変換機（１５）またはステッチングアセンブリ（３２）。
【請求項４】  前記切断エッジ（２３７）の外径が、前記突出部（２３４）の内径より小さい、請求項１〜３のいずれか１項に記載のクッション変換機（１５）またはステッチングアセンブリ（３２）。
【請求項５】  前記切断エッジ（２３７）の外径が、前記突出部（２３４）のピッチ円より大きい、請求項４に記載のクッション変換機（１５）またはステッチングアセンブリ（３２）。
【請求項６】  前記第二ステッチング部材（４１）が、前記突出部（２３４）の間の空間に半径方向に広がる谷整列部分（２３６）を有する切断ホイール（２３２）を備え、そして該谷整列部分（２３６）が切断エッジ２３７を有する、請求項１〜５のいずれかに記載のクッション変換機（１５）またはステッチングアセンブリ（３２）。
【請求項７】  前記谷整列部分（２３６）の各々が、前記切断エッジ（２３７）の各半径方向側部を囲む凹状エッジプロフィールをさらに有する、請求項６に記載のクッション変換機（１５）またはステッチングアセンブリ（３２）。
【請求項８】  前記谷整列部分（２３６）の各々が、リリーフ（２３８）を有して前記凹状エッジプロフィールを形成する、請求項７に記載のクッション変換機（１５）またはステッチングアセンブリ（３２）。
【手続補正書】
【提出日】平成17年10月4日(2005.10.4)
【手続補正１】
【補正対象書類名】明細書
【補正対象項目名】請求項１
【補正方法】変更
【補正の内容】
【請求項１】  駆動手段（５４、６２）を有する振盪機（１０）のための駆動装置において、
フレーム（２４）、
前記フレーム（２４）に取付けられ、内面（５０）および外面（５２）を有するフレキシブルバンド手段（３０、３２）、
前記フレキシブルバンド手段（３０、３２）の前記内面（５０）と接触するローラ手段（３４，３６、３８、４０）、および
前記フレキシブルバンド手段（３０、３２）の前記外面（５２）と前記駆動手段（５４、６２）とに取付けられるプラットホーム手段（１２）を有し、
前記フレキシブルバンド手段（３０、３２）は、前記プラットホーム手段（１２）の動作を、略往復動に制限することを特徴とする駆動装置。
【手続補正２】
【補正対象書類名】明細書
【補正対象項目名】請求項４
【補正方法】変更
【補正の内容】
【請求項４】  前記第１および第２フレキシブルバンド（３０、３２）を、前記一対のローラ手段（３４，３６）（３８、４０）に、それぞれ取付けるための第１取付手段、
前記第１および第２フレキシブルバンド（３０、３２）を、前記フレーム（２４）に取付けるための第２取付手段、および
前記第１および第２フレキシブルバンド（３０、３２）を、前記プラットホーム手段（１２）に取付けるための第３取付手段を、
さらに有することを特徴とする請求項３に記載の駆動装置。
【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  ガスから水を除去する方法であって、前記ガスとシリカ/アルミナ比が約10より大きいゼオライトとを接触させる工程を含み、該ゼオライトが前記ガスと接触する前に約650℃より高い温度に加熱されている、前記方法。
【請求項２】  該ゼオライトの該シリカ/アルミナ比が約10〜約30の範囲内にある、請求項１記載の方法。
【請求項３】  該ゼオライトの均一な粒径が約1〜1.5mmである、請求項１記載の方法。
【請求項４】  該ゼオライトが、酸化ナトリウム(Na2O)として約1質量％未満のナトリウムを含んでいる、請求項１記載の方法。
【請求項５】  該ゼオライトが約20ppm未満のチタンを含んでいる、請求項１記載の方法。
【請求項６】  該ゼオライトが、ZSM-5(MFI)、ZSM-11(MEL)、ベータ(BEA)、ホージャサイトUSY(FAU)、六方晶系ホージャサイト(EMT)、フェリエライト(FER)及びチャバザイト(CHA)からなる群より選ばれる、請求項１記載の方法。
【請求項７】  ガスから水を除去する方法であって、
(a) ゼオライトを約400℃に物理的に吸着した水を該ゼオライトから脱着させるのに十分な第１の期間加熱する工程; 
(b) 該ゼオライトを約650℃より高い温度に第２の期間加熱し、よって過熱ゼオライトを形成する工程; 
(c) 該過熱ゼオライトと該ガスとを接触させる工程; 及び
(d) 該過熱ゼオライトが該ガスから該水を吸着する工程
を含む、前記方法。
【請求項８】  脱ヒドロキシル化ゼオライトの調製方法であって、
(a) 該ゼオライトを約400℃で、物理的に吸着した水の第1量を該ゼオライトから脱着させるのに十分な第１の期間加熱する工程; 及び
(b) 該ゼオライトを約650℃より高い温度に該ゼオライトの脱ヒドロキシル化によって該ゼオライトから水の第2量を除去するのに十分な第２の期間加熱する工程
を含む、前記方法。
【請求項９】  シリカ/アルミナ比が約10より大きくかつ金属不純物が低レベルである脱ヒドロキシル化ゼオライトであって、約650℃より高い温度に該ゼオライトの脱ヒドロキシル化を引き起こすのに十分な時間加熱されているとともに約20ppm未満のチタン、約100ppm未満の鉄、及び約11ppm未満のマグネシウムを含んでいる、前記ゼオライト。
【請求項１０】  シリカ/アルミナ比が約10より大きくかつ金属不純物が低レベルである脱ヒドロキシル化ゼオライトであって、約400℃に該ゼオライトから物理的に吸着された水を脱着するのに十分な第１の期間加熱しているとともに約650℃より高い温度に該ゼオライトの脱ヒドロキシル化を引き起こすのに十分な第２の期間加熱されている、前記ゼオライト。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  選択された波長、周波数および振幅でエネルギーを与える回転音響ホーンであって、
軸線方向入力端と軸線方向出力端とを有するシャフトと、
前記シャフトに取付けられる少なくとも１つの溶接部分とを具備し、
前記溶接部分は、前記シャフトの前記軸線方向入力端に音響エネルギーを加えることにより拡張および収縮する溶接面を具備し、
回転音響ホーンが少なくとも第１および第２の材料から形成されること、
を特徴とする回転音響ホーン。
【請求項２】  選択された波長、周波数および振幅でエネルギーを与える回転音響ホーンであって、
軸線方向入力端と軸線方向出力端とを有するシャフトと、
前記シャフトに取付けられる溶接部分とを具備し、
前記溶接部分は、前記シャフトの前記軸線方向入力端に音響エネルギーを加えることにより拡張および収縮する溶接面を具備し、
前記溶接部分が、コア部分とスリーブ部分とから形成されて、回転音響ホーンの特性を該スリーブ部分の交換によって変化させることができるようになっていること、
を特徴とする回転音響ホーン。
【手続補正書】
【提出日】平成18年8月3日(2006.8.3)
【手続補正１】
【補正対象書類名】明細書
【補正対象項目名】０００１
【補正方法】変更
【補正の内容】
【０００１】
（背景技術）
過去数年間、多くの注意が血管内超音波イメージング装置の分野に向けられている。一般に、このような装置は、イメージングカテーテルアセンブリ、モータ駆動ユニットおよびイメージングサブシステムを有する。前記イメージングカテーテルアセンブリは前記モータ駆動ユニットに連結され、前記モータ駆動ユニットは前記イメージングサブシステムに連結される。イメージング変換器は、カテーテルアセンブリの末端内に設けられるとともに、前記モータ駆動ユニットを介して前記イメージングサブシステムに電気的に連結されている。従来のイメージングサブシステムは、一般に、コンピュータに基づく像処理装置およびディスプレイを有する。したがって、カテーテルアセンブリの末端が、例えば、冠状動脈のような体内管腔に挿入されるとき、管腔の壁を構成する内部表面および／または構造がディスプレイに映し出されることができる。これは、内科医が、アテローム性動脈硬化症の進行のために例えば冠状動脈内に存在する例えば閉塞に関する貴重な情報を得ることを可能にする。
【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】  フィルム（39、85）を変形させて複数の凹部（60）を形成する工程と、該凹部（60）に流動性充填物質（62、89）を充填する工程と、フィルムを融着場所で融着して、充填物質を収容する複数の包囲部を形成する融着工程と、フィルムの残部から充填包囲部を切断して複数のカプセルを形成する工程とを有し、前記融着工程が、2つの対向電極（14、95）間で行われる誘電融着である、ポリマー材料のフィルムからカプセル（80）を製造する方法において、水溶性ポリマー材料からなる2枚のフィルム（39、85）を使用することを特徴とするカプセル製造方法。
【請求項２】  前記フィルム（39）は、複数の異なる場所で前記工程を受け、前記各1つの工程が前記各１つの場所で行われることを特徴とする請求項１記載のカプセル製造方法。
【請求項３】  前記フィルム（85）は、単一場所で複数の前記工程を受けることを特徴とする請求項1記載のカプセル製造方法。
【請求項４】  前記誘電融着は、1〜100MHzの間の周波数で行われることを特徴とする請求項1〜3のいずれか1項記載のカプセル製造方法。
【請求項５】  少なくとも1つの誘電融着電極（14B）に同調回路（20） が電気的に接続されていることを特徴とする請求項1〜4のいずれか1項記載の カプセル製造方法。
【請求項６】  前記フィルムを加熱するためのヒータが、少なくとも1つの電極に設けられていることを特徴とする請求項1〜5のいずれか１項記載のカプセル製造方法。
【請求項７】  前記フィルムは、融着前にバッグに形成され、かつ融着前に、該バッグ内に充填物質が導入されることを特徴とする請求項1〜6のいずれか1 項記載のカプセル製造方法。
【請求項８】  前記ポリマー材料は、食用に適したものであることを特徴とする請求項1〜7のいずれか1項記載のカプセル製造方法。
【請求項９】  前記ポリマー材料は、ヒドロキシプロピルメチルセルロースであることを特徴とする請求項８記載のカプセル製造方法。
【請求項１０】  前記誘電融着工程において、電極間の電圧が制限されることを特徴とする請求項1〜9のいずれか1項記載のカプセル製造方法。
【請求項１１】  前記フィルム（39、85）の各々が可塑剤を含有していることを特徴とする請求項1〜10のいずれか1項記載のカプセル製造方法。
【請求項１２】  請求項1〜11項のいずれか1項記載の製造方法により製造されるカプセル。
【請求項１３】  請求項1〜11項のいずれか1項記載の製造方法を実施するための装置。
【手続補正書】
【提出日】平成18年9月7日(2006.9.7)
【手続補正１】
【補正対象書類名】明細書
【補正対象項目名】００１６
【補正方法】変更
【補正の内容】
【００１６】
例示された実施態様及びそのバン加温部１３の構造のさらに詳細な説明のために図４を参照されたい。下部グリル板組立体１１は、プラスチック又は他の適当に堅く、耐熱性の材料から作られている下部支持構造すなわち下部ハウジング２６を含んでいる。下部ハウジング２６は、調理台の上で下部グリル板２１（及びグリル１０の残りの部分）を支持している。下部ハウジング２６は、その目的のために４本の脚を含んでいる。２本の脚２７、２８だけが図１〜４において目に見えているが、残りの２本の脚も物理的にこれらと同じである。
【手続補正２】
【補正対象書類名】明細書
【補正対象項目名】００１７
【補正方法】変更
【補正の内容】
【００１７】
４本の脚延長部が、第１の調理表面２２を該脚延長部がない場合より高く上昇させるために該４本の脚を覆って移動可能に嵌っている。まさに２つの脚延長部２９、３０が図４において目に見えているが、他の２つの延長部も物理的にこれらと同じである。該脚延長部は全て約５．１ｃｍ（２インチ）の高さがあり、第１の調理表面２２を図１〜３に示されている高さから図４に示される高さまでさらに１．９ｃｍ（３／４インチ）上昇させるのに役立っている。利用者は、第１の調理表面２２を上昇させることが望まれるときはいつでも、脚を覆って脚延長部を滑り込ませる。例えば、利用者がトルティーヤの上に第１の調理表面２２を押し下げる食品を利用者が調理する場合に、第１の調理表面２２を上昇させることが望ましい。利用者は、通常受け皿１６によって占められる位置にトルティーヤを保持する。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】  （ａ）インクジェット印刷での使用に適したインク組成物を取得し、
（ｂ）インクジェットプリンタを使用して、転写媒体上に識別マークの形状にインク組成物を送出し、
（ｃ）前記転写媒体からゲームボールの表面に識別マークを転写し、
（ｄ）ゲームボールの表面の識別マーク上に保護性コートを形成することを含み、
（ｅ）工程（ｂ）の前に、ゲームボールの表面の少なくとも一部にプライマーコート層を形成することをに含み、
プライマーコート層が識別マークの吸収性、付着性および明瞭性の少なくとも１つを増進する物質を含有し、識別マークの吸収性、付着性および明瞭性の少なくとも１つを増進する物質として、タルク、アモルファスシリカ、ベントナイトクレイ、およびケイ酸マグネシウムからなる群から選択される物質の少なくとも１種が含まれる、
ゲームボールに識別マークを形成する方法。
【請求項２】  転写媒体がシリコーン、フッ素ポリマー、ポリプロピレン、およびそれらの組合せからなる群から選択される物質１種を少なくとも含む、請求項１に記載の方法。
【請求項３】  （ａ）インクジェット印刷での使用に適したインク組成物を取得し、
（ｂ）ゲームボール表面の少なくとも一部に、識別マークの吸収性、付着性および明瞭性の少なくとも１つを増進する物質を含有する識別マーク受容層を形成し、
（ｃ）インクジェットプリンタを使用して、識別マーク受容層に識別マークを印刷する、ことを含み、
前記物質は、識別マークの吸収性、付着性および明瞭性の少なくとも１つを増進し、
前記識別マークの吸収性、付着性および明瞭性の少なくとも１つを増進する物質はタルク、アモルファスシリカ、ベントナイトクレイ、およびケイ酸マグネシウムからなる群から選択される物質の少なくとも１種が含まれる、
ゲームボールに識別マークを形成する方法。
【手続補正書】
【提出日】平成18年10月18日(2006.10.18)
【手続補正１】
【補正対象書類名】明細書
【補正対象項目名】請求項３
【補正方法】変更
【補正の内容】
【請求項３】  前記ＣＳＬがＨＰＬＣにより分析したときのクロマトグラフィーにおいて下記表のピーク１〜１０のうちの１又は複数の存在を示す、請求項１又は２記載の組成物：
【表１】
2002526106.tif 000001
【表２】
2002526106.tif 000002
【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】  処理ユニットと、
該処理ユニット内で動作するコンピュータ・ソフトウェアであって、ターゲット点と、身体内に位置決定されるべき介挿具のためのガイドのピボット点との空間座標を医療用撮像システムのオペレータが位置決定することができるようにし、かつ、前記ターゲットおよび前記ピボット点を通って延在する線に沿って存在するかまたは該線のすぐ近くに存在する第３の点を前記身体の外側に自動的に決定するコンピュータ・ソフトウェアと、を含み、ここで、前記第３の点は前記身体からのある距離に位置決定されることにより、該身体の外側の空間内で画像平面を得ることができるようにし、かつ、ここで、該画像平面は前記第３の点を含むかまたは実質的に含む、医療用撮像システム。
【請求項２】  前記コンピュータ・ソフトウェアは更に、前記処理ユニット上にて、前記第３の点が存在するかまたは実質的に存在するガイドアラインメント平面であって該ガイドのアラインメント軸と交差するガイドアラインメント平面上で撮られた画像を表示するように動作し、かつ、更に、前記第３の点の位置を示す前記画像上にマークを表示するように動作することにより、該画像の前記平面内において前記ガイドの前記アラインメント軸が前記第３の点とアラインメントされ得るようにする、請求項１に記載の医療用撮像システム。
【請求項３】  身体の表面又は近傍でピボット点の周りで回転するガイドを位置決めすることを支援するためのシステムであって、
少なくとも１つの画像診断手段と、
前記画像診断手段に結合されたディスプレーと、
前記ディスプレーに結合された処理ユニットであって、前記システムのオペレータが、
前記画像診断手段を使用して身体内の第１の点にターゲットの位置を決定し、
前記画像診断手段を使用して、前記ガイドの軸上に少なくとも１つのロケータの位置を決定し、ここで、前記ガイドの前記軸を規定する線は第２の点に位置決定される前記ピボット点を通過し、
前記画像診断手段を使用して身体の外部の第３の点の位置を決定し、前記第３の点は、前記ピボット点を越えて該ピボット点を通って前記ターゲットから延びている仮想線上に実質的に位置決定され、前記第３の点はまた、前記ロケータを通り、かつ前記ガイドのステムに実質的に垂直な仮想平面上に実質的に位置決定され、
前記ロケータと前記第３の点との画像を前記ディスプレー上に表示し、かつ、
前記表示された前記ロケータと前記第３の点との画像を、前記ガイドのステムを位置決めすることによって前記ディスプレー上でアライメントする、
ことを可能にするように動作可能であるコンピュータソフトウエアを含む処理ユニットと、
を含むシステム。
【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】  根管治療で使用するためのトルク低減歯内治療ファイルであって、
前記ファイルを操作し、回転させるための近位端と、遠位端で終端する作業部とを有する細長い金属シャンクを備え、前記作業部分が、前記遠位端に向かって所望の程度のテーパを有し、少なくとも１つの溝が、前記作業部分の周りに螺旋状に延在して、掻削りエッジを形成し、前記作業部分がさらに、所望の軸方向長さを有して前記作業部分の円周の周りに延在し、隣接作業部分に関して直径が縮小された少なくとも１つの区域を含むファイル。
【請求項２】  さらに、前記螺旋溝に軸方向で隣接する螺旋ランドを備える請求項１に記載のファイル。
【請求項３】  さらに、前記ファイルの作業部分に沿って軸方向で離隔された複数の直径縮小区域を備える請求項１に記載のファイル。
【請求項４】  前記直径縮小区域が弓形、Ｖ字形、またはＵ字形プロファイルである請求項１に記載のファイル。
【請求項５】  前記直径縮小区域が弓形プロファイルである請求項４に記載のファイル。
【請求項６】  直径縮小区域が、前記螺旋溝の深さ以下に縮小された直径を有する請求項１に記載のファイル。
【請求項７】  前記直径縮小区域の少なくとも１つが、前記ファイル作業部分の全円周の周りに円周方向に延在する請求項３に記載のファイル。
【請求項８】  前記軸方向で離隔された直径縮小区域が、可変量だけ直径を縮小されている請求項３に記載のファイル。
【請求項９】  前記軸方向で離隔された直径縮小区域が、前記ファイル遠位端に向かう軸方向で、減少量だけ直径を縮小されている請求項３に記載のファイル。
【請求項１０】  前記縮小された直径が、前記遠位端に向かう方向で、前記ファイルの直径に比例して量を減少する請求項８に記載のファイル。
【請求項１１】  前記直径の縮小が、前記ファイルが前記根管内で操作され、回転されるときに、前記区域と根管表面との摩擦接触を少なくとも実質的に低減するのに十分なものである請求項１に記載のファイル。
【請求項１２】  根管の歯内準備に使用するファイルであって、
ハンドル端部と、遠位端に向かってテーパが付いている作業部分とを有する細長い金属シャンクを備え、前記作業部分が、根管壁の表面と接触するときに根管を拡大し成形するように前記根管壁面を掻き削るエッジを形成する少なくとも１つの螺旋溝を有する外面を有し、前記作業部分外面が、前記螺旋掻削りエッジが根管壁面に接触しない周期的直径縮小区域を含み、それにより根管壁面と接触する作業部分の摩擦を低減するファイル。
【請求項１３】  前記作業部分が、軸方向で前記螺旋エッジに隣接する作業部分内部に形成されたランドを含む請求項１２に記載のファイル。
【請求項１４】  前記周期的直径縮小区域が軸方向で離隔され、前記作業部分に波状外側プロファイルを与える請求項１２に記載のファイル。
【請求項１５】  前記軸方向で離隔された直径縮小区域がそれぞれ、前記ファイルが前記根管内で操作され、回転されるときに、少なくとも前記区域領域と根管壁面との摩擦接触を実質的に低減するのに十分に直径を低減される請求項１２に記載のファイル。
【請求項１６】  根管治療で使用するためのトルク入力低減ファイルを製造する方法であって、
一端にハンドル部分を有し、かつ前記ハンドル部分から軸方向で離隔された作業部分を有する金属の細長いシャンクを提供する工程であって、前記作業部分が、所望のテーパ率で前記遠位端に向かってテーパを有する工程と、
少なくとも１つの螺旋掻削りエッジを画定する少なくとも１つの螺旋溝を前記作業部分に形成する工程と、
前記作業部分に、軸方向で離隔された複数の直径縮小区域を機械加工する工程とを備える方法。
【請求項１７】  根管の歯内準備で使用するためのトルク入力低減ファイルを製造する方法であって、
一端にハンドル部分を有し、かつ遠位端で終端する作業部分を有する金属の細長いシャンクを提供する工程であって、前記作業部分が、作業長さ１ミリメートル当たりのミリメートル単位で所望のテーパ率を有する工程と、
前記作業部分に直径縮小区域の波状プロファイルを形成する工程であって、前記プロファイルが通常、前記遠位端に向かって直径を縮小している工程と、
前記波状作業表面に、少なくとも１つのスパイラル形掻削りエッジを提供する少なくとも１つの螺旋溝と、軸方向で隣接するランドとを形成する工程とを備える方法。
【請求項１８】  根管治療で使用するためのトルク低減歯内治療ファイルであって、前記ファイルを操作し、回転するための近位端と、遠位端で終端する作業部分とを有する細長い金属シャンクを備え、前記作業部分が前記遠位端に向かって所望の程度のテーパを有し、少なくとも１つの溝が、前記作業部分の周りに螺旋状に延在して、掻削りエッジを形成し、前記作業部分がさらに、使用中に根管壁との摩擦接触が実質的に減少されるように、隣接作業部分に関して縮小された表面領域を含むファイル。
【請求項１９】  前記縮小された表面が、使用中に前記ファイルと根管壁との表面接触を減少するのに十分な量および配置で前記作業表面に穴開けされた複数の止まり穴を備える請求項１に記載のファイル。
【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】    にきび及び脂漏症からなる群のうちの少なくとも１つの皮膚疾患のための光力学治療装置であって、
（ａ）少なくとも４０５ｎｍから４４０ｎｍの範囲の狭いスペクトルバンド内に集中したスペクトル放射力を有する少なくとも１つの光源と、
（ｂ）前記少なくとも１つの光源から放射された光を収集し、整形するための光学システムと、
（ｃ）スペクトル放射力の持続時間、パワー及び放射スペクトルバンドからなる群のうちの少なくとも１つのパラメータを制御するための電子制御ユニットとを有することを特徴とする装置。
【請求項２】    治療されるべき皮膚の部位に対して調節可能な距離及び方向に前記光源を保持するための機構を更に有することを特徴とする請求項１に記載の装置。
【請求項３】    液体に満たされた光ガイド及び光ファイバー光ガイドからなる群のうちの少なくとも１つを、調節可能な距離、放射エネルギ及び放射方向をもって、治療されるべき皮膚の部位に対して前記光源からの放射を集光及びガイドするための光学的システムの一体的な一部として更に備えていることを特徴とする請求項１に記載の装置。
【請求項４】    前記光源の少なくとも１つが、４０５−４４０ｎｍに、スペクトルバンドにおけるピークを有するハロゲン化ガリウム及び鉛ガス混合体放電灯を備えていることを特徴とする請求項１に記載の装置。
【請求項５】    前記光源の少なくとも１つが、４０５−４４０ｎｍに、スペクトル放射バンドを有するイオンクリプトンガスレーザを備えていることを特徴とする請求項１に記載の装置。
【請求項６】    前記光源の少なくとも１つが、４０５−４４０ｎｍに、狭いスペクトル放射バンドを有するバイオレット／青色光レーザーダイオード及び発光ダイオード（ＬＥＤ）からなる群のうちの少なくとも１つのダイオードを備えていることを特徴とする請求項１に記載の装置。
【請求項７】    前記光源が、請求項４乃至６に記載された上記光源の任意の組み合わせからなることを特徴とする請求項１に記載の装置。
【請求項８】    前記光源の少なくとも１つの光が、楕円断面円筒反射器により集光されることを特徴とする請求項１に記載の装置。
【請求項９】    前記光源の少なくとも１つの光が、放物線断面円筒反射器により集光されることを特徴とする請求項１に記載の装置。
【請求項１０】    前記光源の少なくとも１つの光が、集光されるとともに、更に、２つの互いに直交するシリンドリカルレンズの組によりコリメートされることを特徴とする請求項８に記載の装置。
【請求項１１】    前記光源の少なくとも１つの光が、前記第２の焦点に於いて、ビーム整形及びガイド用光ファイバのスリット型入力開口に集光されることを特徴とする請求項８に記載の装置。
【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】  電気モータ（２１）を含むベース（２０）と、前記ベース上に取り外し可能に固定可能で且つ円筒状の開口頂部および杷手（２；２′）を有する容器（１；１′）と、前記容器の底部に装着されて前記モータによって駆動可能な食物加工具（２４）と、前記容器を閉鎖可能な蓋（６；６′）と、該蓋の軸方向への動きを制限する手段（３、９）と、該蓋の回転運動を制限する手段（２２、９）と、容器に装着されたピン（１６；１６′）およびベースに装着されたスイッチ（１７；１７′）を備えた安全装置と、を具え、蓋は、蓋が容器上の閉鎖作動位置を占めているときに、モータの作動を可能にするようにスイッチを動作させるピン作動手段（８）を具える定型のブレンダまたはフードプロセッサからなる電気器具であって、
容器（１；１′）の杷手（２；２′）の上部にはロック用ボタン（４；４′）が設けられ、且つ該ボタンはほぼ垂直方向への移動が可能で、前記ボタンは当接部（１９）に当接し又は切り欠き部（１３）に入り込み得るロック（５；１２）を作動させることが可能であり、前記切り欠き部又は前記当接部は蓋（６；６′）に設けられ、蓋（６；６′）を容器（１；１′）上の閉鎖作動位置にロックし得ることを特徴とする電気器具。
【請求項２】  ロック（５；５′）は復帰スプリング（１０；１０′）に抗して動き得ることを特徴とする請求項１に記載の電気器具。
【請求項３】  ピン（１６；１６′）は復帰スプリング（１１；１１′）に抗して動き得ることを特徴とする請求項１又は２に記載の電気器具。
【請求項４】  蓋（６）は、容器（１）の対応する縁（３）に係合し得る突出縁（９）を具え、蓋の縁及び／又は容器の縁にはストップ（３）が設けられていることを特徴とする請求項１ないし３のいずれかに記載の電気器具。
【請求項５】  蓋と容器はねじ手段を具えていることを特徴とする請求項１ないし４のいずれかに記載の電気器具。
【請求項６】  蓋（６）のピン作動手段（８）は、蓋を閉鎖したときにピン（１６）の作動片（７）を押し下げることのできる傾斜した作動用縁（１８）と、蓋が容器（１）上の閉鎖作動位置を占めたときにロック（５）に当接し得るロック用縁（１９）とを具えていることを特徴とする請求項１ないし５のいずれかに記載の電気器具。
【手続補正２】
【補正対象書類名】明細書
【補正対象項目名】０００５
【補正方法】変更
【補正の内容】
【０００５】
この目的は、電気モータを含むベースと、前記ベース上に取り外し可能に固定可能で且つ円筒状の開口頂部を有する容器と、前記容器の底部に装着されて前記モータによって駆動可能な食物加工具と、前記容器を閉鎖可能な蓋と、該蓋の軸方向への動きを制限する手段と、該蓋の回転運動を制限する手段と、容器に装着されたピンおよびベースに装着されたスイッチを備えた安全装置と、を具え、蓋は、蓋が容器上の閉鎖作動位置を占めているときに、モータの作動を可能にするようにスイッチを動作させるピン作動手段を具える定型のブレンダまたはフードプロセッサからなる電気器具であって、容器にはロック用ボタンが設けられ、前記ボタンは当接部に当接し又は切り欠き部に入り込み得るロックを作動させることが可能であり、前記切り欠き部又は前記当接部は蓋に設けられ、蓋を容器上の閉鎖作動位置にロックし得ることを特徴とする電気器具によって達成される。容器上にロック用ボタンを設けたことによって、ユーザーは容器を保持してボタンを作動させ、蓋を保持して装置を開放するよう求められる。